(57)【要約】【課題】安全性にすぐれ、かつインキ安定性にすぐれた孔版印刷用Ｗ／Ｏ型エマルションインキを提供する。【解決手段】油相１０〜９０重量％と水相９０〜１０重量％によって構成される孔版印刷用Ｗ／Ｏ型エマルションインキにおいて、油相が植物油を含有し、かつ水相が金属塩（ナトリウム塩、アルミニウム塩）または金属イオン封鎖剤を含有していることを特徴とする。【選択図】      なし【特許請求の範囲】
【請求項１】
油相１０〜９０重量％と水相９０〜１０重量％によって構成される孔版印刷用Ｗ／Ｏ型エマルションインキであって、該油相は植物油を含有し、かつ該水相はナトリウム塩及び／またはアルミニウム塩を含有してなることを特徴とする孔版印刷用Ｗ／Ｏ型エマルションインキ。
【請求項２】
油相１０〜９０重量％と水相９０〜１０重量％によって構成される孔版印刷用Ｗ／Ｏ型エマルションインキであって、該油相は植物油を含有し、かつ該水相は金属イオン封鎖剤を含有してなることを特徴とする孔版印刷用Ｗ／Ｏ型エマルションインキ。
【請求項３】
水相は金属イオン封鎖剤を含有してなることを特徴とする請求項１記載の孔版印刷用Ｗ／Ｏ型エマルションインキ。
【発明の詳細な説明】
【０００１】
【発明の属する技術分野】
本発明は、孔版印刷用インキに関し、詳しくは、植物油を含有し、環境に配慮して安全で、かつインキ安定性を向上させた孔版印刷用Ｗ／Ｏ型エマルションインキに関するものである。
【０００２】
【従来の技術】
孔版印刷方法は周知のように、孔版印刷原紙を用い、この原紙の穿孔部を通して原紙の一方の側より他方の側ヘインキを移動させることにより、紙などの被印刷物面に印刷を行なうものである。従来より用いられているインキは、揮発性溶剤、不揮発性溶剤、樹脂、着色剤、界面活性剤、水、凍結防止剤、電解質、防腐剤より構成された油中水型（Ｗ／Ｏ型）のエマルションインキである。
【０００３】
近年、環境に左右されず安全性を有し、及びインキ安定性があり、良好な印刷物（高い画像濃度を有し、裏移りが少ない等の印刷物）を得ることができる孔版印刷用Ｗ／Ｏ型エマルションインキとして、植物油を含有したインキが使用されてきている。たとえば、（１）特開平１０−２４５５１６号公報（特許文献１）では、ヨウ素価１００以下でかつ凝固点が０℃以下の植物油を用いた孔版印刷用Ｗ／Ｏ型エマルションインキが提案されている。また、（２）特開２００２−２２０５６０号公報（特許文献２）では、ヨウ素価１１０〜１５０の植物油を用いた孔版印刷用Ｗ／Ｏ型エマルションインキが提案されている。
【０００４】
しかし、前記（１）はインキの固化を回避するためにヨウ素価１００以下の不乾性油を用いるようにしているが、一方で、このインキは長期放置後、インキ中の水分が蒸発してインキの粘度低下を引き起し、インキが過剰転移して裏移りが発生するおそれがある。
また、前記（２）は長期放置後の目詰まりや印刷用紙の裏移りが生じないように、ヨウ素価１１０〜１５０の植物油を酸化防止剤とともに用いるようにしているが、ここで用いられる酸化防止剤はジブチルヒドロキシトルエン、没食子酸プロピル、ブチルヒドロキシアニソール等である。これら酸化防止剤はインキの酸化を防止しインキ安定性に優れることが一般的に知られているが、安全性に欠けるという問題がある。このため、これら従来のものよりさらに安全性に優れた酸化防止剤が望まれているが、安全性とインキ安定性との両立が難しいのが現況である。
【０００５】
【特許文献１】
特開平１０−２４５５１６号公報
【特許文献２】
特開２００２−２２０５６０号公報
【０００６】
【発明が解決しようとする課題】
上記のように、植物油を含有する孔版印刷用インキは知られており、そして、植物油にはこれに含まれる揮発性有機化合物（ＶＯＣ：Ｖｏｌａｔｉｌｅ  Ｏｒｇａｎｉｃ  Ｃｏｍｐｏｕｎｄｓ）の含有量ができるだけ少ないものの使用が望ましいとされている。
【０００７】
ところで、植物油はトリグリセリド（グリセリンの脂肪酸の１種）を主成分とし、不飽和度が高く、ヨウ素価８０以上の植物油では保存時に酸化されて粘度が高くなっていき、安定性に問題が出てくる。この植物油の酸化が進むと色の変化や腐臭の問題も生じてくる。さらに、インキ中に含まれて金属のために植物油は自動酸化が促進される。
【０００８】
従って、本発明の課題は、植物油を含有するものの安全性にすぐれ、かつインキ安定性にすぐれた孔版印刷用Ｗ／Ｏ型エマルションインキを提供することである。
【０００９】
【課題を解決するための手段】
本発明者は、上記課題を解決し得るＷ／Ｏ型エマルションインキ処方について鋭意研究を重ねた結果、エマルション安定化のために水相中に添加される金属塩を限定すること、及び／又は金属イオン封鎖剤を添加することで、ヨウ素価８０以上の植物油を使用したＷ／Ｏ型エマルションインキの安全性を確保し、同時に、インキ安定性を飛躍的に改善することができることを見い出し、本発明に到達した。
すなわち、本発明によれば、下記（１）（２）及び（３）が提供される。
【００１０】
（１）油相１０〜９０重量％と水相９０〜１０重量％によって構成される孔版印刷用Ｗ／Ｏ型エマルションインキであって、該油相は植物油を含有し、かつ該水相はナトリウム塩及び／またはアルミニウム塩を含有してなることを特徴とする孔版印刷用Ｗ／Ｏ型エマルションインキ。
【００１１】
（２）油相１０〜９０重量％と水相９０〜１０重量％によって構成される孔版印刷用Ｗ／Ｏ型エマルションインキであって、該油相は植物油を含有し、かつ該水相は金属イオン封鎖剤を含有してなることを特徴とする孔版印刷用Ｗ／Ｏ型エマルションインキ。
【００１２】
（３）上記（１）の孔版印刷用インキであって、水相がさらに金属イオン封鎖剤を含有してなることを特徴とする孔版印刷用Ｗ／Ｏ型エマルションインキ。
【００１３】
【発明の実施の形態】
以下本発明をさらに詳細に説明する。
本発明は油相１０〜９０重量％と水相９０〜１０重量％によって構成される孔版印刷用Ｗ／Ｏ型エマルションインキにおいて、油相中に植物油を含有し、水相中に（ｉ）ナトリウム塩、アルミニウム塩の少なくとも１つ、及び／又は（ｉｉ）金属イオン封鎖剤を含むことを特徴とするものである。この処方が採られたことにより、植物油としてヨウ素価８０以上の植物油を使用することができる。
【００１４】
水相にナトリウム塩またはアルミニウム塩が配合されたことの効果は次のように考えられる。すなわち、金属塩は水相における電解質として配合されるが、一般に金属塩は植物油中の不飽和酸酸化に触媒作用を持ち、植物油の酸化を促進しているものと考えられるが、金属塩がナトリウム塩、アルミニウム塩の場合には電解質としての役目を十分発揮するとともに、触媒作用が極めて少なく、植物油の酸化を殆ど進めないことのためと考えられる。
水相中にこのナトリウム塩、アルミニウム塩のいずれかが含有されている場合は、水相中には前記（ｉｉ）の金属イオン封鎖剤は含有されていても含有されていなくてもよい。
【００１５】
本発明で用いられるナトリウム塩としては、水酸化ナトリウム、塩化ナトリウム、炭酸ナトリウムなどが挙げられ、アルミニウム塩としては、水酸化アルミニウム、硫酸アルミニウムなどが挙げられる。
【００１６】
また、水相に金属イオン封鎖剤が配合されたことの効果は次のように考えられる。すなわち、金属イオン封鎖剤は金属イオンを封鎖することによって植物油の酸化促進を著しく遅延させる。これがインキ安定性の向上に寄与していると考えられる。
水相中にこの金属イオン封鎖剤が含有されている場合は、水相中には電解質としての金属塩（前記（ｉ）のナトリウム塩、アルミニウム塩を含む）は含有されていても含有されていなくてもよい。ここでの電解質としては、水酸化ナトリウム、水酸化アルミニウム、硫酸ナトリウム、硫酸マグネシウム、硫酸鉄、リン酸水素カリウム、クエン酸ナトリウム、酒石酸カリウム、ホウ酸ナトリウムなどがあげられる。
【００１７】
本発明で用いられる金属イオン封鎖剤としては、エデト酸二ナトリウム、クエン酸ナトリウム、ポリリン塩酸ナトリウム、メタリン酸ナトリウム、グルコン酸ナトリウムなどが挙げられる。
なお、特開平８−２２５７６１号公報には、本発明の孔版印刷とは印刷方式を異にする平版印刷で用いるインキ組成物中に、金属イオン封鎖剤を配合することが記載されている。しかし、ここでの金属イオン封鎖剤は、平版印刷インキ組成物中や湿し水に存在する２価以上の金属イオン（カルシウムイオン、マグネシウムイオン等）を１価の金属イオンに交換するために配合されているのであって、本発明の金属イオン封鎖剤とはその挙動ないし作用を異にするものである。
【００１８】
本発明で用いられる植物油は特に限定されるものではないが、ヨウ素価８０以上の植物油には、アマニ油、エゴマ油、カヤ油、サフラリー油、大豆油、シナギリ油、ゴマ油、トウモロコシ油、ナタネ油、ヌカ油、綿実油などが挙げられる。
【００１９】
これら成分のインキ中における配合量は次のとおりである。
植物油はインキ重量に対して２．０〜８０重量％、好ましくは４．０〜３０重量％である。２．０重量％未満では植物油添加の効果に乏しく、８０重量％を超えると相対的に他成分の割合が少なくなって良好なインキにならない場合がある。
【００２０】
電解質（ナトリウム塩及び／又はアルミニウム塩を含む）は水相重量に対して０．１〜５．０重量％、好ましくは０．５〜２．５重量％である。０．１重量％未満では効果がなく、５．０重量％を超えて添加しても更なる効果は見られない。
【００２１】
金属イオン封鎖剤は水相重量に対して０．００１〜４．０重量％、好ましくは０．０１〜２．０重量％である。０．００１重量％未満では効果がなく、４．０重量％を超えて添加しても更なる効果は見られない。
【００２２】
本発明のエマルションの油相は、着色剤（顔料）、油成分、樹脂、顔料分散剤、乳化剤等から構成される。また、水相は、水、電解質（ナトリウム塩、アルミニウム塩）又はイオン封鎖剤、防黴剤、水蒸発防止剤、水溶性高分子等から構成される。これらの構成成分は、エマルションの形成を阻害しない公知のものが使用される。
【００２３】
本発明で用いられる着色剤は、カーボンブラック、酸化チタン；アゾ系顔料、フタロシアニン系顔料、ニトロソ系顔料、ニトロ系顔料、建染染料系顔料、媒染染料系顔料、塩基性染料系顔料、酸性染料系顔料及び天然染料系顔料；ジアゾ染料、アントラキノン系染料等の油溶性染料；等が挙げられる。これらの染顔料類は、単独でも２種以上混合して添加してもよい。その使用量は通常インキ重量に対し３．０〜１２重量％である。通常油相に分散あるいは添加されるが、水相に分散あるいは添加して使用してもよい。
【００２４】
本発明では、油成分として前述したように植物油が使用される。上記植物油以外で併用される油としては、公知の鉱物油、炭化水素系合成油を単独あるいは複数で使用できる。鉱物油には、例えば、石油系溶剤、流動パラフイン、スピンドル油等の公知のものが挙げられる。
【００２５】
本発明で油相に添加される樹脂としては、ロジン；重合ロジン、水素化ロジン、ロジンエステル、水素化ロジンエステル等のロジン系樹脂；ロジン変性フェノール樹脂等のロジン変性樹脂；フェノール樹脂；石油樹脂；環化ゴム；アルキド樹脂；重合ひまし油；等が挙げられる。これらの樹脂は単独でも又は２種以上を混合して添加してもよい。添加量はインキ重量の１０重量％以下、好ましくは１〜７重量％とすればよい。
【００２６】
Ｗ／Ｏ型エマルションを構成するための乳化剤には、グリセリン脂肪酸エステル、ポリグリセリン脂肪酸エステル、プロピレングリコール脂肪酸エステル、ペンタエリスリトール脂肪酸エステル、ポリオキシエチレンソルビタン脂肪酸エステル、ポリオキシエチレンソルビット脂肪酸エステル、ポリオキシエチレングリセリン脂肪酸エステル、ポリエチレングリコール脂肪酸エステル、ポリオキシエチレンアルキルエーテル、ポリオキシエチレンフィトステロール、ポリオキシエチレンポリオキシプロピレンアルキルエーテル、ポリオキシエチレンアルキルフェニルエーテル、ポリオキシエチレンひまし油、ポリオキシエチレン硬化ひまし油、ポリオキシエチレンラノリン、ポリオキシエチレンラノリンアルコール、ポリオキシエチレンアルキルアミン、ポリオキシエチレン脂肪酸アミド、ポリオキシエチレンアルキルフェニルホルムアルデヒド縮合物等のノニオン系界面活性剤が挙げられる。これらは、顔料分散剤としても使用出来、また単独、あるいは複数での使用も可能であり、添加量は、インキ重量の１〜８重量％、好ましくは、２．２〜５．５重量％である。
【００２７】
以上のほか、油相にはエマルションの形成を妨害しない範囲で樹脂、着色剤の分散剤、ゲル化剤及び酸化防止剤を添加することができる。なお、前記の着色剤や乳化剤も油相に含まれる。
【００２８】
着色剤分散剤としては、エマルションの形成を阻害しないものが使用でき、前記の乳化剤用非イオン性界面活性剤を使用することができる。このほか、アルキルアミン系高分子化合物、アルミニウムキレート系化合物、スチレンー無水マレイン酸系共重合高分子化合物、ポリカルボン酸エステル型高分子化合物、脂肪族系多価カルボン酸、高分子ポリエステルのアミン塩類、エステル型アニオン界面活性剤、高分子量ポリカルボン酸の長鎖アミン塩類、長鎖ポリアミノアミドと高分子酸ポリエステルの塩、ポリアミド系化合物、燐酸エステル系界面活性剤、アルキルスルホカルボン酸塩類、α−オレフインスルホン酸塩類、ジオクチルスルホコハク酸塩類、アルキド樹脂、及び重量平均分子量２．５万未満の樹脂などの顔料分散能を有する樹脂などが挙げられる。
これらの着色剤分散剤は単独又は２種類以上混合して添加すればよく、樹脂以外の着色剤分散剤の添加量は着色剤重量の４０重量％以下、好ましくは２〜３５重量％とすればよい。
【００２９】
ゲル化剤は、油相に含まれる樹脂をゲル化してインキの保存安定性、定着性、流動性を向上させる役割をもち、本発明のインキに添加されるゲル化剤としては、油相中の樹脂と配位結合する化合物が好ましい。このような化合物を例示すると、Ｌｉ、Ｎａ、Ｋ、Ａｌ、Ｃａ、Ｃｏ、Ｆｅ、Ｍｎ、Ｍｇ、Ｐｂ、Ｚｎ、Ｚｒ等の金属を含む有機酸塩、有機キレート化合物、金属石鹸オリゴマー等であり、具体的にはオクチル酸アルミニウム等のオクチル酸金属塩、ナフテン酸マンガン等のナフテン酸金属塩、ステアリン酸亜鉛等のステアリン酸塩、アルミニウムジイソプロポキシドモノエチルアセトアセテート等の有機キレート化合物等が挙げられる。
これらのゲル化剤は、１種又は２種以上を油相に添加すればよく、その添加量は油相中の樹脂の１５％以下、好ましくは５〜１０重量％である。
【００３０】
油相に添加される酸化防止剤は、ジブチルヒドロキシトルエン、没食子酸プロピル、ブチルヒドロキシアニソール等であり、これらの添加によって油相中のバインダー樹脂等の酸化を防ぎ、これによってインキの粘度の上昇等が防止される。また、その添加量はインキ中の油の２重量％以下、好ましくは０．１〜１．０重量％である。なお、酸化防止剤は単独でも２種類以上を混合して使ってもよい。
【００３１】
また、水相にはエマルションの形成を妨害しない範囲で、電解質の他に、水溶性高分子、水中油型（Ｏ／Ｗ）樹脂エマルション、防腐・防かび剤、水の蒸発抑制剤、凍結防止剤、ｐＨ調整剤等を添加することができる。
【００３２】
エマルションインキの水相に添加される水溶性高分子は、保湿や増粘のために添加されるものであり、具体的には下記の天然又は合成高分子が添加される。例えば、デンプン、マンナン、アルギン酸ソーダ、ガラクタン、トラガントガム、アラビアガム、ブルラン、デキストラン、キサンタンガム、ニカワ、ゼラチン、コラーゲン、カゼイン等の天然高分子；カルボキシメチルセルロース、メチルセルロース、ヒドロキシエチルセルロース、ヒドロキシプロピルセルロース、ヒドロキシプロピルメチルセルロース、ヒドロキシメチルデンプン、カルボキシメチルデンプン、ジアルデヒドデンプン等の半合成高分子；アクリル酸樹脂及びポリアクリル酸ナトリウムなどの中和物、ポリビニルアルコール、ポリビニルピロリドン、ポリアクリルアミド、ポリＮ−アルキル置換アクリルアミド、ポリエチレンオキサイド、ポリビニルメチルエーテルなどの合成高分子等が用いられる。
また、アクリルアミド系ポリマー及びアクリル系のポリマーに関しては、置換基を部分的にアルキル基で疎水化した共重合タイプのポリマーでもよい。また、ポリエチレンとポリプロピレン又はポリブチレンのブロックコポリマーを用いることができる。
これらの水溶性高分子は単独でも２種類以上混合してもよく、インキ中に含まれる水の２５重量％以下、好ましくは０．５〜１５重量％が添加される。
【００３３】
水相に添加される水中油型樹脂エマルションは、合成高分子でも天然高分子でよい。高分子としては、酢酸ビニル、アクリル酸エステル、メタクリル酸エステル、塩化ビニル、エチレン−酢酸ビニル共重合体、酢酸ビニル−アクリル酸エステル共重合体、スチレン−アクリル酸エステル共重合体、塩化ビニリデン−アクリル酸エステル共重合体、塩化ビニル−酢酸ビニル共重合体、ウレタン等が挙げられる。天然のものとしては、油相に添加できる高分子等が挙げられる。これらは油中水型エマルションインキの安定性を阻害しない範囲であれば２種類以上を併用してもよく、また分散方法も分散剤、保護コロイド、界面活性剤を添加していてもよく、またソープフリー乳化重合によって合成したものでもよい。
これら水中油型エマルションはインキ中に含まれている水の５０重量％以下、好ましくは１５〜３０重量％である。
【００３４】
水相に添加される防腐・防かび剤は、エマルション内で細菌やかびが繁殖するのを防ぐために添加され、エマルションを長期保存する場合は防腐・防かび剤の添加が普通である。防腐・防かび剤としては、サリチル酸、フェノール類、ｐ−オキシ安息香酸メチル、ｐ−オキシ安息香酸エチル等の芳香族ヒドロキシ化含物及びその塩素化合物のほか、ソルビン酸やデヒドロ酢酸等が使用され、これらは単独でも２種類以上混合して使ってもよい。その添加量は、インキ中に含まれる水の３重量％以下、好ましくは０．１〜１．２重量％とするのがよい。
【００３５】
水の蒸発防止剤と凍結防止剤は兼用可能であり、これらの目的で添加される薬品は、エチレングリコール、ジエチレングリコール、プロピレングリコール等のグリコール；メタノール、エタノール、イソプロパノール、ブタノール、イソブタノール等の低級飽和一価アルコール；グリセリンやソルビトール等の多価アルコール；等である。これらの薬品は１種又は２種以上を添加すればよく、その添加量はインキ中の水重量の１５％以下、好ましくは４〜１２重量％である。
【００３６】
水相に添加されるｐＨ調整剤は、トリエタノールアミン、酢酸ナトリウム、トリアミルアミン等であり、必要時にはこれらのｐＨ調整剤を添加して水相のｐＨを６〜８に保つことができる。水相のｐＨが前記範囲からはずれると、増粘剤用水溶性高分子が添加されている場合には、その効果が損なわれる等の問題がある。
【００３７】
上記のほか、本発明の孔版印刷用Ｗ／Ｏ型エマルションインキには、印刷時に印刷用紙と印刷ドラムとの分離を良くするため、或いは印刷用紙の巻き上がり防止のために、油相にワックスを添加することができる。また、水相にはトリエタノールアミンや水酸化ナトリウム等を添加して、水溶性高分子添加による高粘度化を更に増進させることができる。更に、水相に防錆剤や消泡剤を添加して、印刷の際に印刷機がインキによって錆びたり、インキが泡立つことを防止することができる。これらの添加剤は、孔版印刷用インキに添加されている公知品を必要に応じて添加すればよく、その添加量は従来品の場合と同程度でよい。
【００３８】
本発明のエマルションインキは、従来のエマルションインキ製造時と同様にして油相及び水相液を調整し、この両方を公知の乳化機内で乳化させてインキとすればよい。即ち、着色剤、乳化剤、樹脂及び必要に応じて添加される添加物をよく分散させた油を常温で調整し、これに防腐・防かび剤や水溶性高分子等が必要に応じて添加されている水溶液を徐々に添加して乳化すればよい。
【００３９】
【実施例】
次に、本発明を実施例によって更に具体的に説明するが、本発明はこの実施例によって限定されるものではない。なお、以下に記す部は重量部である。
【００４０】
実施例１
〈油相組成〉
着色剤      ファーネスカーボン                            ６．５部
フタロシアニンブルー                          ０．５部
オイル      流動パラフィン                              １４．０部
大豆油（ヨウ素価；１９０）                  １０．０部
界面活性剤  ソルビタンセスキオレエート                    ４．０部
【００４１】
〈水相組成〉
水          イオン交換水                                ５８．８部
電解質      水酸化アルミニウム                            １．２部
凍結防止剤  グリセリン                                    ５．０部
【００４２】
顔料分散体の調製は、ファーネスカーボン、フタロシアニンブルーの顔料、ソルビタンセスキオレートと流動パラフィン等の油を三本ロールで練肉することで行い、この顔料分散体に大豆油を加え混合し、油相とする。次に、これに水相を徐々に加え、乳化を行うことによって、孔版印刷用Ｗ／Ｏ型エマルションインキを得た。
【００４３】
実施例２
下記組成の油相及び水相を調製し、実施例１と同様にして孔版印刷用Ｗ／Ｏ型エマルションインキを得た。
【００４４】
〈油相組成〉
着色剤      ファーネスカーボン                            ６．５部
フタロシアニンブルー                          ０．５部
オイル      流動パラフィン                              １４．０部
大豆油（ヨウ素価；１９０）                  １０．０部
界面活性剤  ソルビタンセスキオレエート                    ４．０部
【００４５】
〈水相組成〉
水          イオン交換水                                ５８．８部
電解質      硫酸鉄                                        １．２部
凍結防止剤  グリセリン                                    ５．０部
金属イオン封鎖剤  エデト酸二ナトリウム                    ０．２部
【００４６】
実施例３
下記組成の油相及び水相を調製し、実施例１と同様にして孔版印刷用Ｗ／Ｏ型エマルションインキを得た。
【００４７】
〈油相組成〉
着色剤      ファーネスカーボン                            ６．５部
フタロシアニンブルー                          ０．５部
オイル      流動パラフィン                              １４．０部
大豆油（ヨウ素価；１９０）                  １０．０部
界面活性剤  ソルビタンセスキオレエート                    ４．０部
【００４８】
〈水相組成〉
水          イオン交換水                                ５８．６部
電解質      水酸化アルミニウム                            １．２部
凍結防止剤  グリセリン                                    ５．０部
金属イオン封鎖剤  エデト酸二ナトリウム                    ０．２部
【００４９】
比較例１
下記組成の油相及び水相を調製し、実施例１と同様にして孔版印刷用Ｗ／Ｏ型エマルションインキを得た。
【００５０】
〈油相組成〉
着色剤      ファーネスカーボン                            ６．５部
フタロシアニンブルー                          ０．５部
オイル      流動パラフィン                              １４．０部
大豆油（ヨウ素価；１９０）                  １０．０部
界面活性剤  ソルビタンセスキオレエート                    ４．０部
【００５１】
〈水相組成〉
水          イオン交換水                                ５８．８部
電解質      硫酸鉄                                        １．２部
凍結防止剤  グリセリン                                    ５．０部
【００５２】
〈評価〉
実施例１〜３及び比較例１の孔版印刷用Ｗ／Ｏ型エマルションインキについて、下記評価を行った。それらの結果を表１にまとめて示す。
【００５３】
（イ）画像立ち上がり
実施例１〜３及び比較例１のインキを２０℃、６５％ＲＨにおいてプリポートＮ８０（リコー社製）を使用し、適当な原稿にて印刷を行い、同環境にて１ヵ月放置したあと、同じ環境、同じ原稿にて印刷を行い、完全な画像に復帰するまでの立ち上がり枚数を数えた。
【００５４】
（ロ）インキの腐敗臭
実施例１〜３及び比較例１のインキを６０℃に保存し、２ケ月経過後取り出し、インキのにおいを調査した。評価結果は下記判断に基づく。
○；腐敗臭なし
△；若干の腐敗臭が確認されるが、実使用上は支障なし
×；強烈な腐敗臭があり、使用不可
【００５５】
【表１】
2004231903.tif 000002
【００５６】
【発明の効果】
請求項１〜３記載の孔版印刷用Ｗ／Ｏ型エマルションインキは、油相のオイルとして植物油を用い、水相に金属塩（ナトリウム塩、アルミニウム）又は金属イオン封鎖剤を含有させたものとしたことから、インキ製造業者や印刷オペレーターがインキを扱う際の安全性を向上させ、さらにインキ事態の安定性も向上したという効果がある。